(57)【要約】【課題】廃棄物埋立地の地下構造と埋設廃棄物の情報を関連づけて表示し簡易に検索することが可能な廃棄物埋立処分場管理システムを提供する。【解決手段】各埋立部位の三次元構造を表す部位構造情報を構造情報記憶手段に記憶し、廃棄物埋立処分場に投入される廃棄物の写真及び当該写真を撮影した位置座標の情報である撮影情報を撮影情報記憶手段に記憶する。この各構造情報に基づいて、廃棄物埋立処分場の全体構造図を表示装置に表示し、全体構造図における位置座標を入力し、入力される位置座標に基づき、当該位置座標を含む埋立部位の撮影情報を撮影情報記憶手段から読み出し、当該位置座標を含む埋立部位の廃棄物投入情報を廃棄物投入情報記憶手段から読み出して表示装置に表示するようにする。【選択図】図１
2010023020.tif 000002
【特許請求の範囲】
【請求項１】
画像を表示する表示装置を備えたコンピュータにより廃棄物埋立処分場の管理を行う廃棄物埋立処分場管理システムであって、
埋立を行う廃棄物の種類毎に、当該種類の廃棄物を埋め立てる埋立部位の位置及び三次元構造を表す部位構造情報を記憶する構造情報記憶手段と、
廃棄物埋立処分場に搬入される廃棄物の写真データを記憶する写真データ記憶手段と、
当該写真を撮影した位置座標の情報である撮影情報を記憶する撮影情報記憶手段と、
廃棄物埋立処分場に搬入される廃棄物の種類及び処理日に関する情報である廃棄物搬入情報を、当該廃棄物を処理する埋立部位と関連づけて記憶する廃棄物搬入情報記憶手段と、
前記写真データを入力し、前記写真データ記憶手段に保存する写真データ入力手段と、
前記撮影情報を入力し、前記撮影情報記憶手段に保存する撮影情報入力手段と、
前記廃棄物搬入情報を入力し、前記廃棄物搬入情報記憶手段に保存する廃棄物搬入情報入力手段と、
前記部位構造情報を入力し、前記構造情報記憶手段に保存する構造情報入力手段と、
前記構造情報記憶手段に保存された前記各構造情報に基づいて、廃棄物埋立処分場の全体構造図を前記表示装置に表示する構造図生成表示手段と、
前記全体構造図における位置座標を入力する位置入力手段と、
前記位置入力手段により入力される位置座標に基づき、当該位置座標を含む埋立部位の撮影情報及び写真データを前記撮影情報記憶手段及び前記写真データ記憶手段から読み出し、当該位置座標を含む埋立部位の廃棄物搬入情報を前記廃棄物搬入情報記憶手段から読み出して前記表示装置に表示する廃棄物情報検索表示手段と、
を備えたことを特徴とする廃棄物埋立処分場管理システム。
【請求項２】
前記構造図生成表示手段は、平面図生成表示手段及び柱状図生成手段を備え、
前記位置入力手段は、平面位置入力手段及び垂直位置入力手段を備えており、
前記平面図生成表示手段は、前記廃棄物埋立処分場の全体構造の平面図を生成し前記表示装置に表示するものであり、
前記平面位置入力手段は、前記平面図生成表示手段により表示される平面図上の位置座標を入力するものであり、
前記柱状図生成手段は、前記平面位置入力手段により入力される位置における、垂直方向の廃棄物の積層状態を表す柱状図を生成し前記表示装置に表示するものであり、
前記垂直位置入力手段は、前記柱状図生成手段により表示される柱状図上の位置座標を入力するものであることを特徴とする請求項１記載の廃棄物埋立処分場管理システム。
【請求項３】
前記柱状図生成手段は、前記平面位置入力手段により入力される位置における、垂直方向の廃棄物の積層状態を、廃棄物の埋立部位毎に色分けして表示した柱状図を生成し前記表示装置に表示するものであることを特徴とする請求項２記載の廃棄物埋立処分場管理システム。
【請求項４】
前記構造図生成表示手段は、全体構造表示手段及び断面構造表示手段を備え、
前記位置入力手段は、切断線指定手段及び断面位置入力手段を備えており、
前記全体構造表示手段は、前記廃棄物埋立処分場の全体構造図を立体図又は平面図として前記表示装置に表示するものであり、
前記切断線指定手段は、前記全体構造表示手段により表示される前記立体図又は前記平面図において、切断線の位置を指定するものであり、
前記断面構造表示手段は、前記切断線指定手段により指定される切断線において前記廃棄物埋立処分場を切断した断面図を生成し前記表示装置に表示するものであり、
前記断面位置入力手段は、前記断面構造表示手段により表示される前記断面図上における位置座標を入力するものであることを特徴とする請求項１記載の廃棄物埋立処分場管理システム。
【請求項５】
前記撮影情報入力手段は、前記写真データ入力手段により、各埋立部位毎に、撮影位置の座標が埋め込まれた一群の写真データが読み込まれると、当該一群の写真データから位置座標を抽出し、それらの位置座標の重心座標を計算し、その重心座標を当該一群の写真データの位置座標とし、それら写真データの位置座標に関する前記撮影情報として撮影情報記憶手段に保存することを特徴とする請求項１記載の廃棄物埋立処分場管理システム。
【請求項６】
廃棄物搬入情報に関する検索キーを入力する検索キー入力手段と、
前記検索キー入力手段により入力された検索キーに基づき、前記廃棄物搬入情報記憶手段に保存された廃棄物搬入情報を検索し、該当する廃棄物搬入情報を抽出する廃棄物搬入情報抽出手段と、
前記廃棄物搬入情報検索手段により抽出された廃棄物搬入情報の埋立部位に含まれる撮影情報及び写真データを、前記撮影情報記憶手段に記憶された撮影情報及び前記写真データ記憶手段に記憶された写真データの中から抽出する撮影情報抽出手段と、
前記廃棄物搬入情報抽出手段及び撮影情報抽出手段により抽出された廃棄物搬入情報、撮影情報及び写真データの組を、前記表示装置に一覧表示するキー検索結果表示手段と、
前記一覧表示された廃棄物搬入情報、撮影情報及び写真データの組を選択する選択指示を入力する選択指示入力手段と、
前記選択指示により選択指示が入力された場合、前記構造情報記憶手段に保存された前記各構造情報に基づいて、廃棄物埋立処分場の全体構造図を前記表示装置に表示するとともに、前記選択指示により選択された廃棄物搬入情報、撮影情報及び写真データの組に対応する埋立部位を他の部位と識別可能に表示する選択部位構造表示手段と、
を備えたことを特徴とする請求項１記載の廃棄物埋立処分場管理システム。
【請求項７】
前記選択部位構造表示手段は、前記選択指示により選択された廃棄物搬入情報、撮影情報及び写真データの組に対応する埋立部位の地表からの深さを計算し前記表示装置に表示することを特徴とする請求項６記載の廃棄物埋立処分場管理システム。
【請求項８】
前記選択部位構造表示手段は、廃棄物埋立処分場の全体構造図を立体図として前記表示装置に表示するとともに、前記選択指示により選択された廃棄物搬入情報、撮影情報及び写真データの組に対応する埋立部位の位置を前記立体図内に他の部位と識別可能に表示することを特徴とする請求項６又は７記載の廃棄物埋立処分場管理システム。
【発明の詳細な説明】
【技術分野】
【０００１】
本発明は、廃棄物埋立処分場の設計・管理を行う廃棄物埋立処分場管理システムに関する。
【背景技術】
【０００２】
廃棄物埋立処分場は、産業社会において不要となった廃棄物を埋め立て、土壌の持つ還元作用を利用して、廃棄物を自然に同化させるための施設である。従って、廃棄物埋立処分場は、一種の微生物反応器と考える「埋立地反応器」という概念で捉えることができる。すなわち、廃棄物埋立処分場を、廃棄物を容器構造の中に閉じこめ、内部で発生する浸出水や埋立ガスが外部環境に影響しないように管理し、内部の廃棄物の土壌への還元を早める一種の反応容器であると捉える考え方である（非特許文献１，ｐ．４参照）。このような「埋立地反応器」概念に立った場合、反応器内部に投入する廃棄物の位置や種類を最適な状態に管理・制御することが必要である。
【０００３】
また、近年、廃棄物埋立処分場内での硫化水素の発生が問題となっている。廃棄物が土壌に還元する際に、埋立ガスとしてある程度の硫化水素が発生することは避けられないことであるが、発生する硫化水素の量が過度に多い場合、周辺環境への悪臭の発散の問題や、埋立地内で作業する作業員の安全上の問題が生じる。従って、硫化水素等の埋立ガスの発生量を制御するために投入する廃棄物の位置・種類を適正に管理することが重要である。
【０００４】
このように、廃棄物埋立処分場において廃棄物の管理を行うための管理システムとしては、特許文献１に記載のものが公知である。
【０００５】
特許文献１に記載の廃棄物最終処分場管理システムは、搬入される廃棄物の種類、搬入量、搬入者及び搬入日時を登録する機能と、最終処分場における廃棄物投入場所の三次元空間座標を得る手段と、これらの機能及び手段により得られるデータを記憶し、表示する機能とを備えたものである。図２０は、特許文献１に記載の廃棄物最終処分場管理システム１００の構成を表す図である。この廃棄物最終処分場管理システム１００は、廃棄物埋立処分場への廃棄物の違法持ち込みを防止し、周辺住民の不安感を低減させる目的により考案されたものである。
【０００６】
図２０において、廃棄物最終処分場管理システム１００は、サーバ１０１、廃棄物情報入力装置１０２、空間情報入力装置１０３、画像情報入力装置１０４、沈降量情報入力装置１０５、及び公開端末１０６，１０６を備えている。公開端末１０６，１０６は、インターネット１０７やコンピュータネットワーク１０８によりサーバ１０１と接続されている。また、サーバ１０１は、制御手段１０９、メインプログラム１１０、記憶手段１１０，１１１，１１２，１１３、及び空間情報補正手段１１４を備えている。
【０００７】
廃棄物埋立処分場に廃棄物積載車両が到着すると、搬入者は処分場受付において、廃棄物の種類、搬入量、搬入者、搬入日時等を記載したマニュフェスト伝票を提示する。このマニュフェスト伝票に記載した情報は、管理者によって廃棄物情報入力装置１０２からサーバ１０１へ入力され、記憶手段１１１へ保存される。次に、廃棄物積載車両は、無線発信器を搭載し、廃棄物投入地点へ進入する。廃棄物投入場所の周囲には三つの受信アンテナが設置されており、これらの受信アンテナにより廃棄物積載車両に搭載された無線発信器が発信する信号が受信され、空間情報入力装置１０３へ入力される。空間情報入力装置１０３は、これらの受信信号に基づいて廃棄物積載車両の三次元位置座標を求め、求めた三次元位置座標をサーバ１０１へ入力する。サーバ１０１では、三次元位置座標が記憶手段１１３に記憶される。また、廃棄物投入場所の周囲には、複数のカメラが設置されており、カメラによって撮像される廃棄物投入状況の画像が画像情報入力手段１０４からサーバ１０１へ入力され、記憶手段１１２へ保存される。
【０００８】
このように、廃棄物埋立処分場へ持ち込まれた廃棄物の情報（廃棄物情報マニュフェスト）、廃棄物投入地点の位置情報（三次元位置座標）、及び廃棄物投入地点における投入状況の画像が、サーバ１０１内の各記憶手段１１１，１１２，１１３に保存される。これら保存された情報は、公開端末１０６により検索・表示することができる。公開端末１０６において、操作者は情報の端末画面上への表示を指定する。これにより、サーバ１０１の制御手段１０９は、記憶手段１１０に記憶されたメインプログラムによって作動して、記憶手段１１１，１１２，１１３に記憶された情報を読み出し、公開端末１０６へ送信する。そして、公開端末１０６の表示画面上にこれらの情報が表示される。
【０００９】
このようにして、廃棄物埋立処分場へ投入された廃棄物の情報を保管し、公開端末１０６によって住民へ公開することで周辺住民の不安感を低減させるようにしている。
【先行技術文献】
【特許文献】
【００１０】
【特許文献１】特開２００２−１０９１５４号公報
【非特許文献】
【００１１】
【非特許文献１】田中信寿，「環境安全な廃棄物埋立処分場の建設と管理」，技報堂出版，2000年1月．
【発明の概要】
【発明が解決しようとする課題】
【００１２】
ところで、上述したように廃棄物埋立処分場を「埋立地反応器」として埋立設計する場合、廃棄物埋立地の地下の正確な三次元構造情報が必要とされる。また、地下のどの層にどのような廃棄物が埋設されているのかを容易に素早く正確に検索できる必要がある。また、地下構造を立体的に俯瞰したり、埋立層が垂直方向に如何なる層構造になっているのかを容易に素早く検索できる必要がある。また、埋立地には日々廃棄物が継続して投入されるため、業務効率の観点から、投入された廃棄物の情報をできる限り簡易に入力できることも必要である。
【００１３】
しかしながら、上記従来の廃棄物最終処分場管理システムは、主として廃棄物埋立地の何処に何時、如何なる廃棄物が埋設されているかを周辺住民に公開するためのものであるため、廃棄物埋立処分場の「設計」に適用するためには機能的に十分ではない。
【００１４】
また、埋立地周辺にカメラやアンテナを設置する必要があり設備が大がかりであるため設置コストが高い。一般に、民間の廃棄物埋立処分場は利益率が低いため、極めて厳しいコスト削減が求められており、管理システムを現実的に導入するためには、できる限り簡易に設置可能なものであることが求められる。
【００１５】
そこで、本発明の目的は、廃棄物埋立地の地下の正確な三次元構造とそこに埋設された廃棄物に関する情報を関連づけて表示し簡易に検索することが可能であるとともに、安価且つ簡便にシステムを導入することが可能な廃棄物埋立処分場管理システムを提供することにある。
【課題を解決するための手段】
【００１６】
廃棄物埋立処分場管理システムに係る本発明の第１の構成は、画像を表示する表示装置を備えたコンピュータにより廃棄物埋立処分場の管理を行う廃棄物埋立処分場管理システムであって、埋立を行う廃棄物の種類毎に、当該種類の廃棄物を埋め立てる埋立部位の位置及び三次元構造を表す部位構造情報を記憶する構造情報記憶手段と、廃棄物埋立処分場に搬入される廃棄物の写真を記憶する写真ファイル記憶手段と、当該写真を撮影した位置座標の情報である撮影情報を記憶する撮影情報記憶手段と、廃棄物埋立処分場に搬入される廃棄物の種類及び処理日に関する情報である廃棄物搬入情報を、当該廃棄物を処理する埋立部位と関連づけて記憶する廃棄物搬入情報記憶手段と、前記撮影情報を入力し、前記撮影情報記憶手段に保存する撮影情報入力手段と、前記廃棄物搬入情報を入力し、前記廃棄物搬入情報記憶手段に保存する廃棄物搬入情報入力手段と、前記部位構造情報を入力し、前記構造情報記憶手段に保存する構造情報入力手段と、前記構造情報記憶手段に保存された前記各構造情報に基づいて、廃棄物埋立処分場の全体構造図を前記表示装置に表示する構造図生成表示手段と、前記全体構造図における位置座標を入力する位置入力手段と、前記位置入力手段により入力される位置座標に基づき、当該位置座標を含む埋立部位の撮影情報を前記撮影情報記憶手段から読み出し、当該位置座標を含む埋立部位の廃棄物搬入情報を前記廃棄物搬入情報記憶手段から読み出して前記表示装置に表示する廃棄物情報検索表示手段と、を備えたことを特徴とする。
【００１７】
この構成によれば、廃棄物を埋立地に搬入する場合、処理する埋立部位の区画について、ＣＡＤ等を用いて部位構造情報を作成し、当該部位構造情報を構造情報入力手段により構造情報記憶手段に保存する。また、実際に処理する際の処理地点における廃棄物の写真をデジタルカメラで撮影する。このとき、デジタルカメラとしては、通常のデジタルカメラ（ＧＰＳレシーバの付属していないデジタルカメラ）を使用してもよいし、ＧＰＳ（Global Positioning System：全地球測位システム）レシーバと連動し緯度経度，高度等の測位データを写真と共に記録するＧＰＳレシーバ付きデジタルカメラを使用することもできる。ＧＰＳレシーバ付きデジタルカメラで撮影したデジタル写真データには、画像情報とともにＧＰＳの測定情報も含まれているので、写真データ入力手段により写真データを写真データ記憶手段に保存するとともに、写真データに含まれる撮影情報を撮影情報入力手段によって撮影情報記憶手段に保存する。通常のデジタルカメラを使用した場合には、写真データ入力手段により写真データを写真データ記憶手段に保存するとともに、別途ＧＰＳレシーバにより取得したＧＰＳの測定情報を撮影情報入力手段によって撮影情報記憶手段に保存する。また、廃棄物搬入情報入力手段により、処理した廃棄物の種類及び搬入日に関する情報である廃棄物搬入情報を、当該廃棄物を処理した埋立部位と関連づけて、廃棄物搬入情報記憶手段に保存する。このようにして、廃棄物埋立処分場の三次元構造データを、写真データ、撮影情報及び廃棄物搬入情報とともに記録し、逐次廃棄物埋立処分場の三次元構造を構築していく。
【００１８】
次に、過去に埋立地のどの部位にどのような廃棄物が埋設されているかを閲覧する場合、構造図生成表示手段により、廃棄物埋立処分場の全体構造図を前記表示装置に表示する。次いで、位置入力手段により、閲覧したい部分の全体構造図における位置座標を入力する。この場合、入力方法は、直接キーボードなどにより座標値を入力してもよいし、マウス等のポインティング・デバイスを用いて表示装置の画面上の全体構造図の上をクリックすることにより位置を入力するようにしてもよい。位置座標が入力されると、廃棄物情報検索表示手段は、当該位置座標を含む埋立部位の写真データ、撮影情報及び廃棄物搬入情報を写真データ記憶手段、撮影情報記憶手段及び廃棄物搬入情報記憶手段から読み出して表示装置に表示する。このようにして、過去に埋立地のどの部位にどのような廃棄物が埋設されているかを、三次元の全体構造図を見ながら簡易に検索・表示させることができる。従って、過去の埋立地の廃棄物の配置を見ながら次の廃棄物の埋立位置を設計することが容易となる。
【００１９】
また、ＧＰＳレシーバ付きのデジタルカメラを使用すれば、大がかりな設備を必要としないため、より安価且つ簡便にシステムを導入することが可能である。
【００２０】
ここで、「廃棄物の種類」とは、例えば、燃え殻，汚泥，廃プラスチック類，金属くず，ガラス・コンクリート・陶磁器くず，鉱さい，がれき類，ばいじん等のような、廃棄物を共通する性質によって分類しまとめたものをいう。「部位構造情報」は、具体的にはＣＡＤ（Computer Aided Design）ソフトウェアなどにより作成された三次元ＣＡＤデータとして構成される。「撮影情報」は、例えば、Exifファイルフォーマット等の位置情報を格納できるフォーマットで作成されたデジタル写真データを使用することができる。例えば、ＧＰＳ（Global Positioning System：全地球測位システム）レシーバと連動し、緯度経度，高度等の測位データを写真と共に記録するデジタルカメラで撮影された写真などである。
【００２１】
廃棄物埋立処分場管理システムに係る本発明の第２の構成は、前記第１の構成において、前記構造図生成表示手段は、平面図生成表示手段及び柱状図生成手段を備え、前記位置入力手段は、平面位置入力手段及び垂直位置入力手段を備えており、前記平面図生成表示手段は、前記廃棄物埋立処分場の全体構造の平面図を生成し前記表示装置に表示するものであり、前記平面位置入力手段は、前記平面図生成表示手段により表示される平面図上の位置座標を入力するものであり、前記柱状図生成手段は、前記平面位置入力手段により入力される位置における、垂直方向の廃棄物の積層状態を表す柱状図を生成し前記表示装置に表示するものであり、前記垂直位置入力手段は、前記柱状図生成手段により表示される柱状図上の位置座標を入力するものであることを特徴とする。
【００２２】
この構成によれば、まず、平面図生成表示手段によって、表示装置に廃棄物埋立処分場の全体構造の平面図が表示される。処分場の管理者は、埋立計画を策定するに当たって、どの場所のどの深さにどのような廃棄物が埋め立てられているかを知る必要があるが、その場合、管理者は、地下構造を調べたい地点の位置座標を、表示された全体構造の平面図上で指定する。この場合、位置座標の指定の仕方は、座標値を直接入力するようにしてもよいし、マウスなどのポインティング・デバイスによって平面図上の点を指定して入力するようにしてもよい。位置座標が入力されると、柱状図生成手段は、構造情報記憶手段に保存されている各埋立部位の位置及び三次元構造の情報と、廃棄物搬入情報記憶手段に保存されている廃棄物搬入情報の中から、指定された位置座標に相当するものを抽出し、抽出された各情報に基づいて、当該位置座標における垂直方向の廃棄物の積層状態を表す柱状図を生成し表示装置に表示する。更に、管理者は、どの深さにどのような廃棄物が埋設されているのかを調べる場合、当該柱状図上の位置座標（深さ情報）を入力する。このときの入力の仕方は、深さ値を直接入力してもよいし、マウスなどのポインティング・デバイスによって柱状図上の点を指定して入力するようにしてもよい。深さ情報が入力されると、廃棄物情報検索表示手段は、当該位置座標を含む埋立部位の写真データ、撮影情報及び廃棄物搬入情報を写真データ記憶手段、撮影情報記憶手段及び廃棄物搬入情報記憶手段から読み出して表示装置に表示する。このようにして、過去に埋立地のどの部位にどのような廃棄物が埋設されているかを、全体構造の平面図と特定された点の柱状図とを見ながら簡易に検索・表示させることができる。
【００２３】
廃棄物埋立処分場管理システムに係る本発明の第３の構成は、前記第２の構成において、前記柱状図生成手段は、前記平面位置入力手段により入力される位置における、垂直方向の廃棄物の積層状態を、廃棄物の埋立部位毎に色分けして表示した柱状図を生成し前記表示装置に表示するものであることを特徴とする。
【００２４】
この構成によれば、柱状図生成手段は、管理者により指定される平面位置において、垂直方向の廃棄物の積層状態を、廃棄物の埋立部位毎に色分けして表示した柱状図を生成するので、管理者は一目でどの深さにどのような廃棄物が埋設されているのかを認識することができる。従って、廃棄物埋立処分場の埋設設計の効率を向上させることができる。
【００２５】
ここで、「色分け」とは、廃棄物の埋立部位毎に異なる色で表示することをいい、必ずしもカラー表示である必要はなく、各部位毎に明度差をつけて表示させるようにしてもよい。
【００２６】
廃棄物埋立処分場管理システムに係る本発明の第４の構成は、前記第１の構成において、前記構造図生成表示手段は、全体構造表示手段及び断面構造表示手段を備え、前記位置入力手段は、切断線指定手段及び断面位置入力手段を備えており、前記全体構造表示手段は、前記廃棄物埋立処分場の全体構造図を立体図又は平面図として前記表示装置に表示するものであり、前記切断線指定手段は、前記全体構造表示手段により表示される前記立体図又は前記平面図において、切断線の位置を指定するものであり、前記断面構造表示手段は、前記切断線指定手段により指定される切断線において前記廃棄物埋立処分場を切断した断面図を生成し前記表示装置に表示するものであり、前記断面位置入力手段は、前記断面構造表示手段により表示される前記断面図上における位置座標を入力するものであることを特徴とする。
【００２７】
この構成によれば、まず、全体構造表示手段によって、表示装置に廃棄物処分場の全体構造の立体図（又は平面図）が表示される。処分場の管理者は、埋立計画を策定するに当たって、どの場所のどの深さにどのような廃棄物が埋め立てられているかを知る必要があるが、その場合、管理者は、切断線指定手段によって地下構造を調べたい地点を含む切断線を、表示された全体構造の立体図上（又は平面図上）で指定する。この場合、切断線の指定の仕方は、切断線の位置表す数値を直接入力するようにしてもよいし、マウスなどのポインティング・デバイスによって立体図上（又は平面図上）の線を指定して切断線を入力するようにしてもよい。切断線が入力されると、柱状図生成手段は、構造情報記憶手段に保存されている各埋立部位の位置及び三次元構造の情報と、廃棄物搬入情報記憶手段に保存されている廃棄物搬入情報の中から、指定された切断線に相当するものを抽出し、抽出された各情報に基づいて、当該切断線における垂直方向の廃棄物の積層状態を表す断面図を生成し表示装置に表示する。更に、管理者は、どの深さにどのような廃棄物が埋設されているのかを調べる場合、断面位置入力手段により当該断面図上の位置座標を入力する。このときの入力の仕方は、深さ値を直接入力してもよいし、マウスなどのポインティング・デバイスによって断面図上の点を指定して入力するようにしてもよい。位置座標が入力されると、廃棄物情報検索表示手段は、当該位置座標を含む埋立部位の写真データ、撮影情報及び廃棄物搬入情報を写真データ記憶手段、撮影情報記憶手段及び廃棄物搬入情報記憶手段から読み出して表示装置に表示する。このようにして、過去に埋立地のどの部位にどのような廃棄物が埋設されているかを、全体構造の立体図と特定された節委断線の断面図とを見ながら簡易に検索・表示させることができる。
【００２８】
廃棄物埋立処分場管理システムに係る本発明の第５の構成は、前記第１の構成において、前記撮影情報入力手段は、前記写真データ入力手段により、各埋立部位毎に、撮影位置の座標が埋め込まれた一群の写真データが読み込まれると、当該一群の写真データから位置座標を抽出し、それらの位置座標の重心座標を計算し、その重心座標を当該一群の写真データの位置座標とし、それら写真データの位置座標に関する前記撮影情報として撮影情報記憶手段に保存することを特徴とする。
【００２９】
この構成によれば、ある埋立部位について、前記写真データ入力手段により、位置座標情報が埋め込まれた写真データが複数読み込まれると、撮影情報入力手段は、それら一群の写真データのそれぞれから位置座標を抽出する。そして、抽出された位置座標の重心座標を計算する。そして、この重心座標を各写真データの位置座標とし、それら写真データの位置座標に関する撮影情報として撮影情報記憶手段に保存する。一般に、各埋立部位について、写真を撮影する場合、その埋立部位の四方周辺から撮影を行うために、撮影位置が埋立部位からずれている場合が多い。従って、後で各部位の写真データを検索する場合に検索しにくくなる。そこで、上述のように、重心位置を代表点とすることで、各写真データの位置座標が埋立部位の範囲内となるように補正されるため、各部位の写真データの検索が容易となる。
【００３０】
廃棄物埋立処分場管理システムに係る本発明の第６の構成は、前記第１の構成において、廃棄物搬入情報に関する検索キーを入力する検索キー入力手段と、前記検索キー入力手段により入力された検索キーに基づき、前記廃棄物搬入情報記憶手段に保存された廃棄物搬入情報を検索し、該当する廃棄物搬入情報を抽出する廃棄物搬入情報抽出手段と、前記廃棄物搬入情報検索手段により抽出された廃棄物搬入情報の埋立部位に含まれる撮影情報及び写真データを、前記撮影情報記憶手段に記憶された撮影情報及び前記写真データ記憶手段に記憶された写真データの中から抽出する撮影情報抽出手段と、前記廃棄物搬入情報抽出手段及び撮影情報抽出手段により抽出された廃棄物搬入情報、撮影情報及び写真データの組を、前記表示装置に一覧表示するキー検索結果表示手段と、前記一覧表示された廃棄物搬入情報、撮影情報及び写真データの組を選択する選択指示を入力する選択指示入力手段と、前記選択指示により選択指示が入力された場合、前記構造情報記憶手段に保存された前記各構造情報に基づいて、廃棄物埋立処分場の全体構造図を前記表示装置に表示するとともに、前記選択指示により選択された廃棄物搬入情報、撮影情報及び写真データの組に対応する埋立部位を他の部位と識別可能に表示する選択部位構造表示手段と、を備えたことを特徴とする。
【００３１】
この構成によれば、管理者が埋立地の内部構造設計を行うに当たり、特定の廃棄物搬入情報に関する廃棄物が何処に埋設されているかを調べたい場合、まず、検索キー入力手段によって廃棄物搬入情報に関する検索キーを入力する。検索キーが入力されると、廃棄物搬入情報抽出手段は、当該検索キーに基づいて廃棄物搬入情報を検索し、抽出する。次いで、撮影情報抽出手段は、抽出された廃棄物搬入情報の埋立部位に含まれる撮影情報及び写真データを抽出する。そして、キー検索結果表示手段は、抽出された廃棄物搬入情報、撮影情報及び写真データの組を、表示装置に一覧表示する。これにより、管理者が調べたいと望む廃棄物搬入情報、撮影情報及び写真データの候補が、表示装置の画面上に一覧表示される。管理者は、選択指示入力手段によって、この一覧表示された廃棄物搬入情報、撮影情報及び写真データの組を選択する。選択指示が入力されると、選択部位構造表示手段は、廃棄物埋立処分場の全体構造図を表示装置に表示するとともに、選択指示により選択された廃棄物搬入情報、撮影情報及び写真データの組に対応する埋立部位を他の部位と識別可能に表示する。これにより、管理者は、調査したい廃棄物が埋立地の地下のどの部位に埋設されているのかを容易に調査することができる。
【００３２】
ここで、「識別可能に表示」とは、例えば、特定の埋立部位の色を他の部位と異なる目立つ色に代えて表示したり、特定の埋立部位を点滅表示させたりすることによって、他の部位から識別可能とすることをいう。
【００３３】
廃棄物埋立処分場管理システムに係る本発明の第７の構成は、前記第６の構成において、前記選択部位構造表示手段は、前記選択指示により選択された廃棄物搬入情報、撮影情報及び写真データの組に対応する埋立部位の地表からの深さを計算し前記表示装置に表示することを特徴とする。
【００３４】
この構成によれば、管理者は上記選択指示により選択した埋立部位の現在の地表面からの深さを容易に知ることができる。
【００３５】
廃棄物埋立処分場管理システムに係る本発明の第８の構成は、前記第６又は７の構成において、前記選択部位構造表示手段は、廃棄物埋立処分場の全体構造図を立体図として前記表示装置に表示するとともに、前記選択指示により選択された廃棄物搬入情報、撮影情報及び写真データの組に対応する埋立部位の位置を前記立体図内に他の部位と識別可能に表示することを特徴とする。
【００３６】
この構成によれば、全体構造図を立体図内に、選択指示により選択された埋立部位を表示することによって、全体における埋立部位の位置関係を容易に知ることができる。
【発明の効果】
【００３７】
以上のように、本発明によれば、廃棄物埋立地の地下の正確な三次元構造とそこに埋設された廃棄物に関する情報を関連づけて表示し簡易に検索することが可能となる。また、従来のように埋立地の周辺にカメラを設置したり、廃棄物積載車両に無線機を搭載したりする必要がなく、安価且つ簡便にシステムを導入することが可能となる。
【図面の簡単な説明】
【００３８】
【図１】本発明の実施例１に係る廃棄物埋立処分場管理システムの構成図である。
【図２】廃棄物埋立処分場管理データベースの各種テーブルのデータ構造と関連性を示すデータベース構造図である。
【図３】埋立地全体と埋立部位との位置関係を模式的に表した図である。
【図４】廃棄物埋立処分場において新たな廃棄物の処理を行う場合における埋立部位の部位構造情報を廃棄物埋立処分場管理データベースに入力する処理の流れを表す図である。
【図５】三次元地形図ファイルの作成過程を説明する図である。
【図６】廃棄物埋立処分場管理データベースのフォームの一例を表す図である。
【図７】撮影情報を廃棄物埋立処分場管理データベースに入力する処理の流れを表す図である。
【図８】埋立部位を撮影する場合の撮影位置を説明する図である。
【図９】重機の移動軌跡から廃棄物の埋立位置の特定方法を説明する図である。
【図１０】キー検索による地形図の検索処理を表すフローチャートである。
【図１１】検索・入力フォームで検索結果がリスト表示された状態を表す図である。
【図１２】検索・入力フォームで検索結果が一覧表示された状態を表す図である。
【図１３】検索された埋立部位の地形図の表示例である。
【図１４】地形図から各埋立部位の処理廃棄物に関する情報を検索する処理の流れを表すフローチャートである。
【図１５】表示装置２３に表示された廃棄物埋立処分場全体の外形平面図の例を示す図である。
【図１６】表示装置２３に表示された廃棄物埋立処分場全体の外形平面図と柱状図の例を示す図である。
【図１７】地形図から各埋立部位の処理廃棄物に関する情報を検索する処理の流れを表すフローチャートである。
【図１８】表示装置２３に表示された廃棄物埋立処分場全体の外形立体斜視図の例を示す図である。
【図１９】表示装置２３に表示された廃棄物埋立処分場全体の外形立体斜視図と断面図の例を示す図である。
【図２０】特許文献１に記載の廃棄物最終処分場管理システム１００の構成を表す図である。
【発明を実施するための形態】
【００３９】
以下、本発明を実施するための最良の形態について、図面を参照しながら説明する。
【実施例１】
【００４０】
図１は、本発明の実施例１に係る廃棄物埋立処分場管理システムの構成図である。本実施例の廃棄物埋立処分場管理システムは、入力コンピュータ１及び情報管理サーバ２を備えており、両者はＬＡＮ３によって接続されている。入力コンピュータ１には、外部記憶装置としてＣＡＤデータ記憶部４及びプログラム記憶部５が接続されており、情報管理サーバ２には、外部記憶装置として、構造情報記憶部６、写真データ記憶部２４、撮影情報記憶部７、廃棄物搬入情報記憶部８、及びプログラム記憶部９が接続されている。また、入力コンピュータ１には、表示装置２３としてディスプレイが接続されている。
【００４１】
入力コンピュータ１の側において、プログラム記憶部５には、入力コンピュータ１で使用する各種のプログラムが記憶されている。ＣＡＤデータ記憶部４には、プログラム記憶部５に格納されているＣＡＤプログラムによって使用されるＣＡＤデータが保存されている。
【００４２】
一方、情報管理サーバ２の側において、構造情報記憶部６には、廃棄物埋立処分場において埋立を行う廃棄物の種類毎に、当該種類の廃棄物を埋め立てる埋立部位の位置及び三次元構造を表す部位構造情報が、構造情報テーブル３１及び地形図ファイルフォルダ３６として保存される。撮影情報記憶部７には、廃棄物埋立処分場に搬入される廃棄物の写真を撮影した位置座標等の情報である撮影情報が撮影情報テーブル３２として保存され、写真データ記憶部２４には廃棄物の写真が写真ファイルフォルダ３７にまとめて保存される。廃棄物搬入情報記憶部８には、廃棄物埋立処分場に搬入される廃棄物の種類、量、搬入日、排出業者、運搬業者等に関する情報である廃棄物搬入情報が、廃棄物搬入情報テーブル３３、排出業者テーブル３４、廃棄物種類テーブル３５、運搬業者テーブル３８として保存される。管理情報記憶部１０には、前記の構造情報テーブル３１、撮影情報テーブル３２、及び廃棄物搬入情報テーブル３３を総合的に管理するための管理情報テーブル３０が保存される。これら各種のテーブルのデータ構造と関連性については後述する。
【００４３】
また、プログラム記憶部９には、情報管理サーバ２で使用する各種のプログラムが記憶されている。
【００４４】
さらに、入力コンピュータ１は、写真データ入力部２５、撮影情報入力部１１、廃棄物搬入情報入力部１２、構造情報入力部１３、構造図生成表示部１４、位置入力部１５、廃棄物情報検索表示部１６、検索キー入力部１７、廃棄物搬入情報抽出部１８、撮影情報抽出部１９、キー検索結果表示部２０、選択指示入力部２１、及び選択部位構造表示部２２を備えている。これらは、入力コンピュータ１において、プログラム記憶部５に記憶されているプログラムをロードし実行することによって機能的に実現される。各部の機能については、追って説明する。
【００４５】
図２は、廃棄物埋立処分場管理データベースの各種テーブルのデータ構造と関連性を示すデータベース構造図である。図２において、廃棄物埋立処分場管理データベースは、管理情報テーブル３０、構造情報テーブル３１、撮影情報テーブル３２、廃棄物搬入情報テーブル３３、排出業者テーブル３４、廃棄物種類テーブル３５、地形図ファイルフォルダ３６、及び写真ファイルフォルダ３７によって構成されている。
【００４６】
管理情報テーブル３０は、「管理情報ＩＤ」フィールド、及び「受入位置基準点座標」フィールドを備えている。「管理情報ＩＤ」フィールドには、それぞれの埋立部位に対応して与えられる管理情報ＩＤが格納されるフィールドである。「受入位置基準点座標」フィールドには、それぞれの埋立部位の位置を決定する基準点の絶対位置座標（経緯座標）が格納されるフィールドである。この座標点を、以下「受入位置基準点」という。
【００４７】
構造情報テーブル３１は、「構造情報ＩＤ」フィールド、「管理情報ＩＤ」フィールド、「構造情報作成日」フィールド、「基準位置座標」フィールド、「図面幅」フィールド、「図面奥行」フィールド、「図面高さ」フィールド、及び「地形図ＣＡＤファイル名」フィールドを備えている。「構造情報ＩＤ」フィールドには、各部位構造情報を特定するための構造情報ＩＤが格納される。ここで、「部位構造」とは、埋立地内においてある特定の種類の廃棄物が埋め立てられた領域（部位）の構造をいう。「管理情報ＩＤ」フィールドには、前記管理情報テーブル３０の管理情報ＩＤと一対一対応した管理情報ＩＤが格納される。この「管理情報ＩＤ」フィールドによって、管理情報テーブル３０と構造情報テーブル３１との関連づけが行われる。「構造情報作成日」フィールドには、各部位構造情報を作成した日付が格納される。「基準位置座標」フィールドには、各部位構造情報の基準点の位置座標が、相対座標値として格納される。「図面幅」フィールド、「図面奥行」フィールド、及び「図面高さ」フィールドには、それぞれ、各部位構造の地形図の図面幅、図面奥行、及び図面高さの値（等倍値）が格納される。「地形図ＣＡＤファイル名」フィールドには、各部位構造の地形図（３次元地形図）を表すＣＡＤデータのファイル名が格納される。実際のＣＡＤデータのファイルは、地形図ファイルフォルダ３６に格納され、ＣＡＤデータのファイル名によってリンクされる。
【００４８】
ここで、受入位置基準点と各部位構造情報の基準点との関係について補足説明する。図３は、埋立地全体と埋立部位との位置関係を模式的に表した図である。埋立地全体の原点をＯとして、原点Ｏの絶対座標（経緯・海抜）を（ｘ０，ｙ０，ｚ０）とする。埋立地内の埋立部位Ａの位置を表す基準点を「受入位置基準点」としてＰと記す。また、受入位置基準点Ｐの絶対座標を（ｘＰ，ｙＰ，ｚＰ）とする。一方、埋立部位Ａの地形図の原点を「図面原点」と呼び、Ｏ１＝（ｘ１，ｙ１，ｚ１）と記す。図面原点Ｏ１は、必ずしも埋立地全体の原点Ｏと一致する必要はない。図面原点Ｏ１を基準とする受入位置基準点Ｐの相対座標を（αＰ，βＰ，γＰ）＝（ｘＰ−ｘ１，ｙＰ−ｙ１，ｚＰ−ｚ１）とする。管理情報テーブル３０の「受入位置基準点座標」フィールドには、受入位置基準点Ｐの絶対座標（ｘＰ，ｙＰ，ｚＰ）が格納される。一方、管理情報テーブル３０の「基準位置座標」フィールドには、受入位置基準点Ｐの相対座標（αＰ，βＰ，γＰ）が基準位置座標として格納される。
【００４９】
撮影情報テーブル３２は、「撮影情報ＩＤ」フィールド、「廃棄物搬入情報ＩＤ」フィールド、「管理番号」フィールド、「撮影日」フィールド、「撮影位置」フィールド、「写真ファイル名」フィールド、及び「備考」フィールドを備えている。撮影情報テーブル３２には、写真ファイル１つ当たり１つのレコードが作成される。「撮影情報ＩＤ」フィールドには、各写真ファイルを特定するための識別番号が格納される。「廃棄物搬入情報ＩＤ」フィールドには、各写真ファイルに対応づけられる廃棄物搬入情報テーブル３３の廃棄物搬入情報ＩＤが格納される。この「廃棄物搬入情報ＩＤ」フィールドによって、廃棄物搬入情報テーブル３３と構造情報テーブル３１との関連づけが行われる。ここで、廃棄物搬入情報テーブル３３の廃棄物搬入情報ＩＤと撮影情報テーブル３２の廃棄物搬入情報ＩＤとは、一対多対応（廃棄物搬入情報テーブル３３の一つの廃棄物搬入情報ＩＤに対して、撮影情報テーブル３２の複数のレコードが対応する）とされている。「管理番号」フィールドには、各レコードの管理番号が格納される。「撮影日」フィールドには写真の撮影日、「撮影位置」フィールドには写真の撮影場所の位置座標（絶対位置座標）、「写真ファイル名」フィールドには写真ファイルのファイル名が格納される。実際の写真ファイルは、写真ファイルフォルダ３７に格納され、写真ファイルのファイル名によってリンクされる。「備考」フィールドには、写真に関連する付記事項が格納される。
【００５０】
廃棄物搬入情報テーブル３３は、「廃棄物搬入情報ＩＤ」フィールド、「管理情報ＩＤ」フィールド、「管理番号」フィールド、「排出業者ＩＤ」フィールド、「運搬業者ＩＤ」フィールド、「受入廃棄物種類ＩＤ」フィールド、「受入廃棄物重量」フィールド、及び「受入日」フィールドを備えている。排出業者テーブル３４は、「排出業者ＩＤ」フィールド、「排出業者名」フィールド、「住所」フィールド、及び「連絡先」フィールドを備えている。また、廃棄物種類テーブル３５は、「廃棄物種類ＩＤ」フィールド、及び「廃棄物種類名」フィールドを備えている。
【００５１】
廃棄物搬入情報テーブル３３の「廃棄物搬入情報ＩＤ」フィールドには、各埋立部位に搬入する廃棄物の種類毎に、処理廃棄物を特定する識別番号が格納される。「管理情報ＩＤ」フィールドには、各廃棄物搬入情報に対応づけられる管理情報テーブル３０の管理情報ＩＤが格納される。この「管理情報ＩＤ」フィールドによって、管理情報テーブル３０と構造情報テーブル３１との関連づけが行われる。ここで、管理情報テーブル３０の管理情報ＩＤと廃棄物搬入情報テーブル３３の管理情報ＩＤとは、一対多対応（管理情報テーブル３０の一つの管理情報ＩＤに対して、廃棄物搬入情報テーブル３３の複数のレコードが対応する）とされている。「管理票番号」フィールドには、各レコードの管理票番号が格納される。「排出業者ＩＤ」フィールドには、各廃棄物搬入情報レコードの廃棄物を排出した業者を特定する識別番号（排出業者ＩＤ）が格納される。この排出業者ＩＤは、排出業者テーブル３４の「排出業者ＩＤ」フィールドに格納される排出業者ＩＤと対応する。「運搬業者ＩＤ」フィールドには、各廃棄物搬入情報レコードの廃棄物を埋立地に運び入れた業者を特定する識別番号（運搬業者ＩＤ）が格納される。この運搬業者ＩＤは、運搬業者テーブル３８の「運搬業者ＩＤ」フィールドに格納される運搬業者ＩＤと対応する。「受入廃棄物種類ＩＤ」フィールドには、各廃棄物搬入情報レコードの廃棄物の種類を特定する識別番号（受入廃棄物種類ＩＤ）が格納される。この受入廃棄物種類ＩＤは、廃棄物種類テーブル３５の「受入廃棄物種類ＩＤ」フィールドに格納される廃棄物種類ＩＤと対応する。「受入廃棄物重量」フィールドには、搬入された廃棄物の重量が格納される。「受入日」フィールドには、廃棄物が埋立地に搬入された日付が格納される。尚、複数の日に渡って廃棄物が埋立地に搬入される場合もあるので、「受入日」フィールドには、受入開始日と受入終了日の２つの日付が格納される。
【００５２】
排出業者テーブル３４の「排出業者ＩＤ」フィールドには、廃棄物の取り扱い業者を特定する排出業者ＩＤが格納される。排出業者ＩＤは、各業者毎に１つのＩＤが割り当てられる。「排出業者名」フィールド，「住所」フィールド，「連絡先」フィールドには、それぞれ、廃棄物の取り扱い業者の名称，住所，連絡先が格納される。
【００５３】
廃棄物種類テーブル３５の「廃棄物種類ＩＤ」フィールドには、廃棄物の種類を特定する廃棄物種類ＩＤが格納される。「廃棄物種類名」フィールドには、廃棄物の種類の名称が格納される。
【００５４】
以上のように構成された本実施例に係る廃棄物埋立処分場管理システムにおいて、以下その機能・動作について説明する。
【００５５】
（１）各種データの入力処理
まず、本実施例の廃棄物埋立処分場管理システムにおいて、部位構造情報、撮影情報等の各種データを入力する際の動作について説明する。
【００５６】
（１−１）部位構造情報の入力
図４は、廃棄物埋立処分場において新たな廃棄物の搬入を行う場合における埋立部位の部位構造情報を廃棄物埋立処分場管理データベースに入力する処理の流れを表す図である。
【００５７】
廃棄物埋立処分場において新たな廃棄物の搬入を行う場合、管理者は、まず、入力コンピュータ１においてプログラム記憶部５に格納されたＣＡＤソフトウェアを用いて、埋立部位の位置及び三次元構造を表す部位構造情報を作成する（ステップＳ１）。
【００５８】
廃棄物の搬入を行う前の最新の地形図データは、ＣＡＤデータ記憶部４に格納されている。このＣＡＤデータは、例えば、図５（ａ）のような三次元データである。管理者は、ＣＡＤデータ記憶部４に格納されたＣＡＤデータを基にして、新たな廃棄物の搬入を行う埋立部位の三次元構造を表すＣＡＤデータを作成する。例えば、図５（ｂ）に示したように、新たに廃棄物をの搬入を行う埋立部位Ａを作成し、これを埋立部位Ａの三次元地形図ファイルとする。作成した三次元地形図ファイルは、一旦、ＣＡＤデータ記憶部４に保存する。さらにこの埋立部位Ａを、図５（ｃ）のように、既存の埋立地の地表上に積層して三次元地形図のＣＡＤデータを作成し、これを最新の地形図データとして、ＣＡＤデータ記憶部４に保存する。
【００５９】
次に、管理者は、プログラム記憶部５に格納された廃棄物埋立処分場管理データベース管理プログラムを起動し、部位構造情報の入力画面を呼び出す。部位構造情報の入力画面が呼び出されると、構造情報入力部１３は、部位構造情報の入力画面を表示装置に表示する。管理者が、入力画面において、先に作成した埋立部位Ａの三次元地形図ファイルのファイル名と、受入位置の基準点座標を指定すると、構造情報入力部１３は、当該三次元地形図ファイルを情報管理サーバ２に送信し、情報管理サーバ２は当該ファイルを廃棄物搬入情報記憶部８に保存する（ステップＳ２）。また、構造情報入力部１３は、管理情報テーブル３０に、新規にレコードを作成し、新規の管理情報ＩＤを割り振り「管理情報ＩＤ」フィールドに格納するとともに、構造情報テーブル３１に新規のレコードを作成し、当該レコードの「管理情報ＩＤ」フィールドに前記管理情報ＩＤを格納する。そして、当該レコードの「地形図ＣＡＤファイル名」フィールドに、廃棄物搬入情報記憶部８に保存した三次元地形図ファイルのファイル名を格納する。更に、当該三次元地形図ファイルから、ファイルの作成日、埋立部位Ａの基準位置座標、図面幅、図面奥行、図面高さの情報を抽出して、それぞれ、「構造情報作成日」フィールド、「基準位置座標」フィールド、「図面幅」フィールド、「図面奥行」フィールド、「図面高さ」フィールドに格納する。ここで、「埋立部位Ａの基準位置座標」は、地形図ＣＡＤデータの図形の最小座標点（左下隅点座標）でもよいし、地形図ＣＡＤデータの図形の重心点などでもよい。また、管理情報テーブル３０に新たに作成されたレコードの「受入位置基準点座標」フィールドに、指定された受入位置の基準点座標を格納する（ステップＳ３）。
【００６０】
以上の動作によって、管理情報テーブル３０及び構造情報テーブル３１に新規のレコードが作成されて、各フィールドに情報が格納される。
【００６１】
（１−２）廃棄物搬入情報の入力
次に、廃棄物搬入情報の入力について説明する。廃棄物搬入情報の入力は、廃棄物埋立処分場管理データベースの検索・入力フォーム４０を用いて行われる。
【００６２】
廃棄物搬入情報入力部１２は、管理者により廃棄物搬入情報の入力指示が入力コンピュータ１に入力されると、表示装置２３に検索・入力フォーム４０を表示して、指定された管理情報ＩＤに対応する廃棄物搬入情報テーブル３３のレコードへの廃棄物搬入情報の入力を促す。
【００６３】
図６は、検索・入力フォーム４０の一例を表す図である。この検索・入力フォーム４０には、受入開始日ボックス４１ａ、受入終了日ボックス４１ｂ、排出業者名ボックス４２、廃棄物名ボックス４３、運搬業者名ボックス４４、埋立部位ｘ座標ボックス４５、埋立部位ｙ座標ボックス４６、埋立部位ｚ座標ボックス４７、平面範囲ボックス４８、標高範囲ボックス４９、マルチページ５０、検索ボタン６１、オールクリアボタン６２、及び３Ｄビューアボタン６３の各オブジェクトが配置されている。マルチページ５０は、「カード」タブ、「写真一覧」タブ、「リスト」タブの３つのタブに指標されたページを備えている。
【００６４】
受入開始日ボックス４１ａ及び受入終了日ボックス４１ｂは、廃棄物搬入情報テーブル３３の各レコードの「受入日」フィールドに、受入開始日と受入終了日の日付を入力するためのボックスである。
【００６５】
排出業者名ボックス４２は、排出業者名を入力するボックスである。排出業者名ボックス４２に排出業者名が入力されると、廃棄物搬入情報入力部１２は、排出業者テーブル３４を検索し、その排出業者名に対応する排出業者ＩＤを取得して、取得した排出業者ＩＤを廃棄物搬入情報テーブル３３の「排出業者ＩＤ」フィールドに格納する。尚、排出業者テーブル３４に排出業者名が登録されていない場合には、排出業者テーブル３４に新たなレコードを作成して、新しい排出業者ＩＤを割り振り、その排出業者ＩＤを「排出業者ＩＤ」フィールドに格納するとともに、排出業者名を「排出業者名」フィールドに格納する。
【００６６】
廃棄物名ボックス４３は、埋立部位に搬入する廃棄物種類を入力するボックスである。廃棄物名ボックス４３に廃棄物種類が入力されると、廃棄物搬入情報入力部１２は、廃棄物種類テーブル３５を検索し、その廃棄物種類に対応する廃棄物種類ＩＤを取得して、取得した廃棄物種類ＩＤを廃棄物搬入情報テーブル３３の「廃棄物種類ＩＤ」フィールドに格納する。尚、廃棄物種類テーブル３５に廃棄物種類名が登録されていない場合には、廃棄物種類テーブル３５に新たなレコードを作成して、新しい廃棄物種類ＩＤを割り振り、その廃棄物種類ＩＤを「廃棄物種類ＩＤ」フィールドに格納するとともに、廃棄物種類名を「廃棄物種類名」フィールドに格納する。
【００６７】
運搬業者名ボックス４４は、運搬業者名を入力するボックスである。運搬業者名ボックス４４に運搬業者名が入力されると、廃棄物搬入情報入力部１２は、運搬業者テーブル３８を検索し、その運搬業者名に対応する運搬業者ＩＤを取得して、取得した運搬業者ＩＤを廃棄物搬入情報テーブル３３の「運搬業者ＩＤ」フィールドに格納する。尚、運搬業者テーブル３８に運搬業者名が登録されていない場合には、運搬業者テーブル３８に新たなレコードを作成して、新しい運搬業者ＩＤを割り振り、その運搬業者ＩＤを「運搬業者ＩＤ」フィールドに格納するとともに、運搬業者名を「運搬業者名」フィールドに格納する。
【００６８】
尚、埋立部位ｘ座標ボックス４５，埋立部位ｙ座標ボックス４６，埋立部位ｚ座標ボックス４７には、管理情報ＩＤによって関連づけられる構造情報テーブル３１のレコードの「基準位置座標」フィールドに格納された座標値が表示される。また、平面範囲ボックス４８には、管理情報ＩＤによって関連づけられる構造情報テーブル３１のレコードの「図面幅」フィールド，「図面奥行」フィールドに格納された図面幅、図面奥行のうち大きいほうの値が表示される。標高範囲ボックス４９には、管理情報ＩＤによって関連づけられる構造情報テーブル３１のレコードの「図面高さ」フィールドに格納された図面高さの値が表示される。これらの表示を参照することで、管理者は、現在のレコードがどの埋立部位であるかを知ることができる。また、後述するように、３Ｄビューアボタン６３をクリックして埋立部位の地形図を表示させることによって埋立部位の位置を知ることも可能である。
【００６９】
（１−３）撮影情報の入力
最後に、廃棄物埋立地の埋立部位で撮影した処理現場の写真から撮影情報テーブル３２のレコードを作成する際の動作について説明する。図７は、撮影情報を廃棄物埋立処分場管理データベースに入力する処理の流れを表す図である。
【００７０】
まず、処理現場の写真は、通常のデジタルカメラ（ＧＰＳレシーバの付属していないデジタルカメラ）又はＧＰＳレシーバを搭載したＧＰＳレシーバ付きデジタルカメラにより撮影する。
【００７１】
ＧＰＳレシーバ付きデジタルカメラでは、撮影時に、その撮影の日時と位置が同時に記録され、写真ファイルの中に埋め込まれる。このように、撮影日時や撮影位置座標（ＧＰＳの測位情報）を埋め込み可能な写真ファイルのフォーマットとしては、例えば、社団法人日本電子工業振興協会が規定するJEIDA規格（ディジタルスチルカメラ用画像ファイルフォーマット規格（Exif））に規定するExif画像ファイルを使用することができる。
【００７２】
一方、通常のデジタルカメラで撮影した場合には、ＧＰＳの測位情報は取得できないため、別途用意したＧＰＳレシーバにより廃棄物の埋立部位の位置座標を測定し記録する。この場合、例えば、廃棄物を搬入・処理するブルドーザやコンパクタ等の重機にＧＰＳレシーバを搭載しておいて、重機の移動軌跡をＧＰＳレシーバで記録することで、廃棄物を搬入する部位の位置座標を測定する。
【００７３】
埋立部位の撮影により得られた複数の写真ファイルは、入力コンピュータ１に備えられた写真データ入力装置（図示せず）によって入力コンピュータ１に入力される（ステップＳ１０）。写真データ入力装置としては、例えば、写真データが半導体メモリカードに記録される場合には、その半導体メモリカードの読込装置などが使用される。写真データ入力部２５は、写真データ入力装置から入力された写真データをＬＡＮ３を介して写真データ記憶部２４の写真ファイルフォルダ３７に保存する。
【００７４】
ここで、ＧＰＳレシーバ付きデジタルカメラで写真撮影した場合には、次のようにして位置座標を決定する。一般にある埋立部位Ｂの写真を撮影する場合、図８に示したように、埋立部位Ｂの周囲四方から撮影が行われる。従って、埋立部位Ｂを撮影した写真ファイルであっても、その撮影位置は埋立部位Ｂの領域の外にはみ出している場合が多い。そこで、撮影情報入力部１１は、埋立部位Ｎの一群の写真ファイルが読み込まれると、まず、当該一群の写真ファイルから位置座標を抽出し（ステップＳ１１）、それらの位置座標の重心座標を計算し、その重心座標を当該一群の写真ファイルの位置座標とする（ステップＳ１２）。
【００７５】
一方、通常のデジタルカメラで写真撮影し、重機に搭載したＧＰＳレシーバにより搬入廃棄物の処理中の重機の移動軌跡を測位した場合には、次のようにして位置座標を決定する。一般にある埋立部位Ｂにおいて廃棄物の処理を行う場合、処理に使用する重機の軌跡は、図９に示したように、埋立部位Ｂまで重機が往復する軌跡と、埋立部位Ｂの内部全体をランダムに彷徨するような軌跡とからなる。往復軌跡は彷徨軌跡から明らかに区別できるため、撮影情報入力部１１は、重機の軌跡データから往復軌跡を除去して彷徨軌跡を抽出する（ステップＳ１１）。そして残った彷徨軌跡の重心点を計算し、その重心座標を当該一群の写真ファイルの位置座標とする（ステップＳ１２）。
【００７６】
次に、撮影情報入力部１１は、各写真ファイル毎に、撮影情報テーブル３２に１つの新規なレコードを作成し、作成した新規なレコードにそれぞれ撮影情報ＩＤを割り振る。割り振られた撮影情報ＩＤは撮影情報テーブル３２の「撮影情報ＩＤ」フィールドに格納される。また、その埋立部位に対する管理情報ＩＤを管理情報テーブル３０の「管理情報ＩＤ」フィールドから読み出して、撮影情報テーブル３２の「管理情報ＩＤ」フィールドに格納する。また、写真ファイルから撮影日，撮影位置座標（ＧＰＳの測定情報）を読み出して、それぞれ撮影情報テーブル３２の「撮影日」フィールド，「撮影位置」フィールドに格納する。最後に、先に写真ファイルフォルダ３７に保存した写真ファイルのファイル名を撮影情報テーブル３２の「写真ファイル名」フィールド格納する。
【００７７】
以上のような撮影情報の読込動作は、管理者がマウス動作をして写真ファイルを廃棄物埋立処分場管理データベースの検索・入力フォーム４０上にドラッグ・アンド・ドロップすることによって行わせることができる。
【００７８】
図６において、マルチページ５０の「カード」タブのページには、管理情報ＩＤボックス５１、管理番号ボックス５２、管理番号ボックス５３、管理番号ボックス５３、廃棄物名ボックス５４、備考ボックス５５、撮影位置ｘ座標ボックス５６、撮影位置ｙ座標ボックス５７、撮影位置ｚ座標ボックス５８、管理票情報ボックス５９、写真ボックス６０、写真ファイル名ボックス６４、レコード移動ボタン６５、及び選択チェックボックス６６の各オブジェクトが配置されている。
【００７９】
撮影日時ボックス５２には、廃棄物搬入情報テーブル３３の現在表示されているレコードの廃棄物搬入情報ＩＤによって関連づけられる撮影情報テーブル３２内のレコード（以下「関連撮影情報レコード」という。）の「撮影日」フィールドに格納された日付が表示される。管理番号ボックス５３には、関連撮影情報レコードの「管理番号」フィールドに格納された管理番号が表示される。撮影位置ｘ座標ボックス５６，撮影位置ｙ座標ボックス５７，撮影位置ｚ座標ボックス５８には、関連撮影情報レコードの「撮影位置」フィールドに格納された撮影位置の座標値が表示される。備考ボックス５５には、関連撮影情報レコードの「備考」フィールドに格納された備考の内容が表示される。写真ファイル名ボックス６４には、関連撮影情報レコードの「写真ファイル名」フィールドに格納された写真ファイル名が表示される。また、写真ボックス６０には、関連撮影情報レコードの「写真ファイル名」フィールドに格納された写真ファイル名で特定される廃棄物の写真データが、写真ファイルフォルダ３７から読み出されて表示される。
【００８０】
尚、管理情報ＩＤボックス５１には、廃棄物搬入情報テーブル３３の現在表示されているレコードの管理情報ＩＤが表示される。廃棄物名ボックス５４には、廃棄物搬入情報テーブル３３の現在表示されているレコードの廃棄物種類名が表示される。管理票情報ボックス５９には、搬入業者、排出業者に関する情報や、廃棄物重量に関する情報が表示される。
【００８１】
ドラッグ・アンド・ドロップにより撮影情報を入力する場合、管理者は、まず、撮影情報を入力したい廃棄物搬入情報テーブル３３のレコードを、検索・入力フォーム４０によって選択する。次に、マウスを使って、入力する撮影情報が格納された写真ファイルを、写真ファイル名ボックス６４にドラッグ・アンド・ドロップする。これにより、写真データ入力部２５は写真ファイル（写真データ）を写真データ記憶部２４の写真ファイルフォルダ３７に保存する。また、撮影情報入力部１１は、写真ファイルのファイル名を取得し、取得した写真ファイル名に対して、撮影情報テーブル３２に新たなレコードを作成し、新たな撮影情報ＩＤを割り振る。そして、新たなレコードの「撮影情報ＩＤ」フィールドに割り振られた撮影情報ＩＤを格納し、「廃棄物搬入情報ＩＤ」フィールドに廃棄物搬入情報ＩＤを格納し、先に写真ファイルフォルダ３７に保存した写真ファイルのファイル名を「写真ファイル名」フィールドに格納する。また、撮影情報入力部１１は、写真ファイルから撮影日と撮影位置座標の情報を抽出し、これらを、新たなレコードの「撮影日」フィールド、「撮影位置」フィールドに格納する。
【００８２】
（２）検索処理
次に、本実施例の廃棄物埋立処分場管理システムにおける検索処理について説明する。
【００８３】
（２−１）処理廃棄物リストからの地形図の検索
管理者が、特定の種類の処理廃棄物が埋立地のどの部位に埋設されているのかを検索する場合には、次のようなキー検索によって行う。
【００８４】
図１０は、キー検索による地形図の検索処理を表すフローチャートである。
【００８５】
まず、入力コンピュータ１において、管理者が検索実行の指示を入力すると、検索キー入力部１７は、図６に示したような検索・入力フォーム４０を表示装置２３に表示する（ステップＳ２０）。管理者は、この検索・入力フォーム４０の各ボックスに、検索を行いたいキーワード（検索キー）を入力し、検索ボタン６１をマウスでクリックする（ステップＳ２１）。
【００８６】
検索ボタン６１がクリックされると、廃棄物搬入情報抽出部１８は、入力された検索キーに基づき、廃棄物搬入情報テーブル３３を検索して、該当する廃棄物搬入情報のレコードを抽出する（ステップＳ２２）。
【００８７】
撮影情報抽出部１９は、抽出された廃棄物搬入情報のレコードの廃棄物搬入情報ＩＤを取得する。そして、取得した各廃棄物搬入情報ＩＤに関連する撮影情報テーブル３２内のレコードを抽出し、キー検索結果表示部２０は検索・入力フォーム４０に表示する（ステップＳ２３）。検索・入力フォーム４０のマルチページ５０の「カード」タブのページにおいては、レコード移動ボタン６５をマウスでクリックすることにより、検索によって抽出された各レコードの情報を閲覧することができる。
【００８８】
また、管理者により検索・入力フォーム４０のマルチページ５０の「リスト」タブがマウスでクリックされると、キー検索結果表示部２０は、図１１のように、抽出したレコードをリストとして表示する。図１１において、マルチページ５０の「リスト」タブのページには、抽出されたレコードの管理番号、撮影日時、廃棄物種類名、管理票番号、及び撮影位置座標が一覧表として表示される。図１１のリストの「Ｎｏ」の列には、撮影情報ＩＤが表示される。また、「選択」の欄には、地形図を表示する対象レコードを選択するためにチェックを入力する欄である。
【００８９】
また、管理者により検索・入力フォーム４０のマルチページ５０の「写真一覧」タブがマウスでクリックされると、キー検索結果表示部２０は、図１２のように、抽出したレコードを一覧表として表示する。図１２において、マルチページ５０の「写真一覧」タブのページには、抽出されたレコードの写真データ、管理情報ＩＤ、撮影日時、管理番号、廃棄物種類名、撮影位置座標、及び選択チェックボックスが一覧表として表示される。図１２の一覧表の選択チェックボックスは、地形図を表示する対象レコードを選択するためにチェックを入力するチェックボックスである。
【００９０】
次に、管理者は、地形図を表示させたいレコードを選択し、３Ｄビューアボタン６３をマウスでクリックする（ステップＳ２４）。レコードを選択するに当たっては、管理者は、図６の選択チェックボックス６６、図１１の選択欄６７、又は図１２の選択チェックボックス６８の何れかをクリックする。これにより、選択指示入力部２１は選択チェックボックス６６，６８又は選択欄６７にチェックマークを表示し、そのレコードが選択されたものと認識する。
【００９１】
次に、３Ｄビューアボタン６３がクリックされると、選択部位構造表示部２２は、選択されたレコードの管理情報ＩＤを取得し、この管理情報ＩＤによって関連づけられた構造情報テーブル３１内のレコードを抽出する。そして、抽出した構造情報テーブル３１内のレコードに関連する埋立部位の地形図ＣＡＤファイルを読み出す（ステップＳ２６）。
【００９２】
最後に、選択部位構造表示部２２は、表示装置に廃棄物埋立処分場の全体図を表示し、その全体図の中に抽出された埋立部位の地形図を他の部位と識別可能に表示する。図１３に表示された埋立部位の地形図の表示例を示す。図１３において、廃棄物埋立処分場の全体図７０の内部に埋立部位の地形図７１，７２が表示されている。埋立部位の地形図７１，７２は廃棄物埋立処分場の全体図７０と識別可能であれば良く、例えば、異なる色で表示したり、太線で表示したりする表示方法を用いることができる。
【００９３】
尚、図１３では、地形図を３次元表示する例を示したが、これ以外に、平面図や断面図などで表示できるようにしてもよい。
【００９４】
（２−２）地形図からの処理廃棄物の検索
次に、地形図から各埋立部位の処理廃棄物に関する情報を検索する処理について説明する。
【００９５】
図１４は、地形図から各埋立部位の処理廃棄物に関する情報を検索する処理の流れを表すフローチャートである。この場合、まず、管理者は、入力コンピュータ１において地形図からの検索指示を入力する。地形図からの検索指示が入力されると、構造図生成表示部１４は、情報管理サーバ２にアクセスして、構造情報記憶部７内の地形図ファイルフォルダ３６に保存されている廃棄物埋立処分場の地形図のデータを読み出す（ステップＳ３０）。
【００９６】
次に、構造図生成表示部１４は、読み出した地形図のデータに基づいて、廃棄物埋立処分場全体の外形平面図を生成し、表示装置２３に表示する（ステップＳ３１）。図１５に、表示装置２３に表示された廃棄物埋立処分場全体の外形平面図の例を示す。
【００９７】
次に、管理者は、表示装置２３に表示された平面図上において、埋設された処理廃棄物の情報の表示を行いたい位置をマウスでクリックすることによって指定する。位置入力部１５は、平面図上においてマウスがクリックされた場合、その画面上のマウスカーソルの位置から、平面図上の２次元座標値を計算する（ステップＳ３２）。
【００９８】
位置入力部１５により平面図上の２次元座標値が計算されると、次に、構造図生成表示部１４は、構造情報テーブル３１を検索し、当該２次元座標点（以下「指定地点」という。）を含むすべての地形図ＣＡＤファイルを抽出する（ステップＳ３３）。
【００９９】
次に、構造図生成表示部１４は、抽出した地形図ＣＡＤファイルに基づいて、指定地点における垂直方向の廃棄物の積層状態を表す柱状図を生成し表示装置２３に表示する（ステップＳ３５）。図１６に、表示装置２３に表示された廃棄物埋立処分場全体の外形平面図（左）と柱状図（右）の例を示す。柱状図は、指定地点の垂直方向に積層した廃棄物層の種類を色分けによって表示した図である。柱状図の各層の右側には、その層の厚さｈと、その層が形成された日付が表示されている。尚、日付については、抽出された廃棄物搬入情報の「受入日」フィールドの値が用いられる。柱状図の各層の左側には、各層の下端及び上端の高度が表示されている。
【０１００】
次に、管理者は、表示装置２３に表示された柱状図上において、埋設された処理廃棄物の情報の表示を行いたい位置をマウスでクリックすることによって指定する。位置入力部１５は、柱状図上においてマウスがクリックされた場合、その画面上のマウスカーソルの位置から、柱状図上の高度値を計算する（ステップＳ３６）。
【０１０１】
位置入力部１５により柱状図上の高度値が計算されると、次に、廃棄物情報検索表示部１６は、指定された位置・高度の部位に埋設された廃棄物搬入情報を廃棄物搬入情報テーブル３３から抽出し、抽出された廃棄物搬入情報の中から、指定された高度の廃棄物搬入情報を抽出し、更にその廃棄物搬入情報に関連する撮影情報及び写真ファイルを撮影情報テーブル３２及び写真ファイルフォルダ３７から抽出する。そして、抽出した処理廃棄物に関する情報を、図６，図１１，図１２に示した検索・入力フォーム４０を用いて表示する（ステップＳ３７）。
【０１０２】
以上のようにして、管理者は、調査したい廃棄物が埋立地の地下のどの部位に埋設されているのかを容易に検索し調査することができる。
【０１０３】
最後に、地形図から各埋立部位の処理廃棄物に関する情報を検索する処理についての他の実施例について説明する。
【０１０４】
図１７は、地形図から各埋立部位の処理廃棄物に関する情報を検索する処理の流れを表すフローチャートである。この場合も、まず、管理者は、入力コンピュータ１において地形図からの検索指示を入力する。地形図からの検索指示が入力されると、構造図生成表示部１４は、情報管理サーバ２にアクセスして、構造情報記憶部７内の地形図ファイルフォルダ３６に保存されている廃棄物埋立処分場の地形図のデータを読み出す（ステップＳ４０）。
【０１０５】
次に、構造図生成表示部１４は、読み出した地形図のデータに基づいて、廃棄物埋立処分場全体の外形立体斜視図を生成し、表示装置２３に表示する（ステップＳ４１）。図１８に、表示装置２３に表示された廃棄物埋立処分場全体の外形立体斜視図の例を示す。
【０１０６】
次に、管理者は、表示装置２３に表示された外形立体斜視図上において、埋設された処理廃棄物の情報の表示を行いたい位置を切る切断線をマウスでクリックすることによって指定する。位置入力部１５は、外形立体斜視図上においてマウスがクリックされた場合、その画面上のマウスカーソルの位置から、外形立体斜視図上の切断線の座標を計算する（ステップＳ４２）。例えば、図１８においては、マウスカーソルの動きに従って、切断線が平行移動するようにプログラムされており、管理者が外形立体斜視図上の所望の位置でマウスをクリックすることで切断線の位置が決定される。
【０１０７】
位置入力部１５により外形立体斜視図上の切断線の座標値が計算されると、次に、構造図生成表示部１４は、構造情報テーブル３１を検索し、当該切断線による切断面を含むすべての地形図ＣＡＤファイルを抽出する（ステップＳ４３）。
【０１０８】
次に、構造図生成表示部１４は、抽出した地形図ＣＡＤファイルに基づいて、指定切断線における垂直方向の廃棄物の積層状態を表す断面図を生成し表示装置２３に表示する（ステップＳ４５）。図１９に、表示装置２３に表示された廃棄物埋立処分場全体の外形立体斜視図（左）と断面図（右）の例を示す。断面図は、指定切断線の垂直方向に積層した廃棄物層の種類を色分けによって表示している。
【０１０９】
次に、管理者は、表示装置２３に表示された断面図上において、埋設された処理廃棄物の情報の表示を行いたい位置をマウスでクリックすることによって指定する。位置入力部１５は、断面図上においてマウスがクリックされた場合、その画面上のマウスカーソルの位置から、断面図上の座標値を計算する（ステップＳ４６）。
【０１１０】
位置入力部１５により断面図上の座標値が計算されると、次に、廃棄物情報検索表示部１６は、指定された位置・高度の部位に埋設された廃棄物搬入情報を廃棄物搬入情報テーブル３３から抽出し、抽出した廃棄物搬入情報の中から、指定された座標を含む埋設部位の廃棄物搬入情報を抽出し、更にその廃棄物搬入情報に関連する撮影情報及び写真ファイルを撮影情報テーブル３２及び写真ファイルフォルダ３７から抽出する。そして、抽出した処理廃棄物に関する情報を、図６，図１１，図１２に示した検索・入力フォーム４０を用いて表示する（ステップＳ４７）。
【０１１１】
以上のようにして、管理者は、調査したい廃棄物が埋立地の地下のどの部位に埋設されているのかを容易に検索し調査することができる。
【符号の説明】
【０１１２】
１  入力コンピュータ
２  情報管理サーバ
３  ＬＡＮ
４  ＣＡＤデータ記憶部
５  プログラム記憶部
６  構造情報記憶部
７  撮影情報記憶部
８  廃棄物搬入情報記憶部
９  プログラム記憶部
１０  管理情報記憶部
１１  撮影情報入力部
１２  廃棄物搬入情報入力部
１３  構造情報入力部
１４  構造図生成表示部
１５  位置入力部
１６  廃棄物情報検索表示部
１７  検索キー入力部
１８  廃棄物搬入情報抽出部
１９  撮影情報抽出部
２０  キー検索結果表示部
２１  選択指示入力部
２２  選択部位構造表示部
２３  表示装置
２４  写真データ記憶部
２５  写真データ入力部
３０  管理情報テーブル
３１  構造情報テーブル
３２  撮影情報テーブル
３３  廃棄物搬入情報テーブル
３４  排出業者テーブル
３５  廃棄物種類テーブル
３６  地形図ファイルフォルダ
３７  写真ファイルフォルダ
３８  運搬業者テーブル
４０  検索・入力フォーム
４１ａ  受入開始日ボックス
４１ｂ  受入終了日ボックス
４２  排出業者名ボックス
４３  廃棄物名ボックス
４４  運搬業者名ボックス
４５  埋立部位ｘ座標ボックス
４６  埋立部位ｙ座標ボックス
４７  埋立部位ｚ座標ボックス
４８  平面範囲ボックス
４９  標高範囲ボックス
５０  マルチページ
５１  管理情報ＩＤボックス
５２  撮影日時ボックス
５３  管理番号ボックス
５４  廃棄物名ボックス
５５  備考ボックス
５６  撮影位置ｘ座標ボックス
５７  撮影位置ｙ座標ボックス
５８  撮影位置ｚ座標ボックス
５９  管理票情報ボックス
６０  写真ボックス
６１  検索ボタン
６２  オールクリアボタン
６３  ３Ｄビューアボタン
６４  写真ファイル名ボックス
６５  レコード移動ボタン
６６  選択チェックボックス
６７  選択欄
６８  選択チェックボックス
７０  廃棄物埋立処分場の全体図
７１，７２  埋立部位の地形図
【図１】
2010023020.tif 000003
【図２】
2010023020.tif 000004
【図３】
2010023020.tif 000005
【図４】
2010023020.tif 000006
【図５】
2010023020.tif 000007
【図６】
2010023020.tif 000008
【図７】
2010023020.tif 000009
【図８】
2010023020.tif 000010
【図９】
2010023020.tif 000011
【図１０】
2010023020.tif 000012
【図１１】
2010023020.tif 000013
【図１２】
2010023020.tif 000014
【図１３】
2010023020.tif 000015
【図１４】
2010023020.tif 000016
【図１５】
2010023020.tif 000017
【図１６】
2010023020.tif 000018
【図１７】
2010023020.tif 000019
【図１８】
2010023020.tif 000020
【図１９】
2010023020.tif 000021
【図２０】
2010023020.tif 000022